(57)【要約】【課題】シールド掘削機において、シール室内のシール剤の圧力を正確且つ容易に計測できるようにする。【解決手段】セグメントの外周面と接触してスキンプレート３の内周面とセグメントの外周面との間にシール室１３を形成する複数のテールブラシ３ｃと、スキンプレート３の軸方向に沿って設けられ、ポンプから圧送されたシール剤をシール室１３に供給する複数のシール剤供給路１４と、スキンプレート３の軸方向に沿って当該スキンプレート３の外壁に設けられ、スキンプレート３後方の掘削坑とセグメントとの隙間に裏込め材を供給する裏込め材供給路１５と、裏込め材供給路１５内に設置され、シール室１３内のシール剤の圧力を計測する圧力計１６と、裏込め材供給路１５内に敷設され、圧力計１６の計測信号を電送するケーブル１６ａとを有する。【選択図】図４
2020012331.tif 000002
【特許請求の範囲】
【請求項１】
地盤を掘削する掘削手段が進行方向先端に回転可能に設置された筒状のスキンプレートと、
前記スキンプレートの進行方向後部の内周面において当該進行方向に対して間隔を開けて環状に設けられ、複数のピースで組み立てられたセグメントの外周面と接触して前記スキンプレートの内周面と前記セグメントの外周面との間にシール室を形成する複数のシール室形成部材と、
前記スキンプレートの軸方向に沿って設けられ、シール剤供給手段から圧送されたシール剤を前記シール室に供給する複数のシール剤供給路と、
前記スキンプレートの軸方向に沿って当該スキンプレートの外壁に設けられ、前記スキンプレート後方の掘削坑と前記セグメントとの隙間に裏込め材を供給する裏込め材供給路と、
前記裏込め材供給路内に設置され、前記シール室内のシール剤の圧力を計測する圧力計と、
前記裏込め材供給路内に敷設され、前記圧力計の計測信号を電送するケーブルと、
を有することを特徴とするシールド掘削機。
【請求項２】
前記シール室は前記スキンプレートの軸方向に複数箇所形成され、
前記圧力計は、最後部の前記シール室内のシール剤の圧力を計測する、
ことを特徴とする請求項１記載のシールド掘削機。
【請求項３】
一部の前記シール剤供給路は前記裏込め材供給路内に配置されている、
ことを特徴とする請求項１または２記載のシールド掘削機。
【請求項４】
前記裏込め材供給路は複数箇所に設けられ、
前記圧力計はそれぞれの前記裏込め材供給路に設置されている、
ことを特徴とする請求項１〜３の何れか一項に記載のシールド掘削機。
【発明の詳細な説明】
【技術分野】
【０００１】
本発明は、シールド掘削機に関し、特に、シールド掘削機のスキンプレートと当該スキンプレートから進行方向後方に押し出されるセグメントとの隙間をシールするためのシール剤の供給に関するものである。
【背景技術】
【０００２】
地盤を掘削してトンネルや地下鉄などの掘削に使用される装置として、シールド掘削機が知られている。
【０００３】
このシールド掘削機はスキンプレートの進行方向先端にカッタヘッド（掘削手段）が回転可能に設置されており、当該カッタヘッドにはビットが円周状・放射状に複数配置されている。そして、カッタヘッドを掘削面（切羽）に押し付けて回転させながら進むことにより、地盤が円形に掘削されていく。
【０００４】
このときシールド掘削機の機内では、筒状のセグメントがシールド掘削機の掘進に合わせてスキンプレートの後方に押し出される。
【０００５】
ここで、スキンプレートとセグメントとの問には隙間があり、この隙間から機内に地下水が侵入したり、シールド掘削機から地盤に圧入した裏込め材が回り込んだりしないようにするために、シールド掘削機には当該隙間をシールするための構造が設けられている。
【０００６】
シール構造では、スキンプレートの内周面にワイヤブラシ等を複数段設け、さらにこれら複数段のワイヤブラシ等で形成されたシール室を埋めるために、止水グリスなどのシール剤を注入している。このシール剤は粘性が高く、セグメントの外周に付着するため、シールド掘削機の前進とともに減少する。このため、掘削中はシール剤をシール室に供給し続ける必要がある。
【０００７】
シール剤はスキンプレート後端部の水圧や裏込め材の注入圧に常に対抗する必要があるため、ポンプ（シール剤供給手段）により圧送して供給される。このとき、シール室内に供給されるシール剤の圧力が大きすぎるとシール剤が外部に流出し続けることになり、逆に圧力が低いと機内に地下水や裏込め材が侵入することになる。
【０００８】
このため、特に高水圧下の掘進では、シール剤の注入圧力の管理が重要となってくる。例えば、厚生労働省は、平成２９年３月に策定した“シールドトンネル工事に係る安全対策ガイドライン”において、「テールシールの止水性を保持するため、テールシール用グリスの補充を適切に行うこと。また、注入は、注入量、注入圧及び注入時期に留意して行い、その記録を残すこと。」としている。
【０００９】
なお、シール剤の供給圧に関しては、特許文献１（特開平０９−１２５８８１号公報）、特許文献２（特開２０１８−００３５２２号公報）、特許文献３（実公平０２−０３７９２０号公報）などに記載の技術が知られている。
【先行技術文献】
【特許文献】
【００１０】
【特許文献１】特開平０９−１２５８８１号公報
【特許文献２】特開２０１８−００３５２２号公報
【特許文献３】実公平０２−０３７９２０号公報
【発明の概要】
【発明が解決しようとする課題】
【００１１】
シール剤の供給圧は、供給元であるポンプの圧力やシール剤供給路内の圧力を計測して監視しているが、粘性の高いシール剤の圧力をこのような方法で計測してもシール室内の圧力を正確に把握することはできない。
【００１２】
また、圧力計をシール室内に設ければシール室内の圧力を把握できるものの、細径の貫通孔を新たにスキンプレートの軸方向に形成してその中に圧力計のケーブルを設置する必要があり、極めて困難な作業となる。
【００１３】
本発明は、上述の技術的背景からなされたものであって、シール室内のシール剤の供給圧を正確且つ容易に計測することのできるシールド掘削機を提供することを目的とする。
【課題を解決するための手段】
【００１４】
上記課題を解決するため、請求項１に記載の本発明のシールド掘削機は、地盤を掘削する掘削手段が進行方向先端に回転可能に設置された筒状のスキンプレートと、前記スキンプレートの進行方向後部の内周面において当該進行方向に対して間隔を開けて環状に設けられ、複数のピースで組み立てられたセグメントの外周面と接触して前記スキンプレートの内周面と前記セグメントの外周面との間にシール室を形成する複数のシール室形成部材と、前記スキンプレートの軸方向に沿って設けられ、シール剤供給手段から圧送されたシール剤を前記シール室に供給する複数のシール剤供給路と、前記スキンプレートの軸方向に沿って当該スキンプレートの外壁に設けられ、前記スキンプレート後方の掘削坑と前記セグメントとの隙間に裏込め材を供給する裏込め材供給路と、前記裏込め材供給路内に設置され、前記シール室内のシール剤の圧力を計測する圧力計と、前記裏込め材供給路内に敷設され、前記圧力計の計測信号を電送するケーブルと、を有することを特徴とする。
【００１５】
請求項２に記載の本発明のシールド掘削機は、上記請求項１記載の発明において、前記シール室は前記スキンプレートの軸方向に複数箇所形成され、前記圧力計は、最後部の前記シール室内のシール剤の圧力を計測する、ことを特徴とする。
【００１６】
請求項３に記載の本発明のシールド掘削機は、上記請求項１または２記載の発明において、一部の前記シール剤供給路は前記裏込め材供給路内に配置されている、ことを特徴とする。
【００１７】
請求項４に記載の本発明のシールド掘削機は、上記請求項１〜３の何れか一項に記載の発明において、前記裏込め材供給路は複数箇所に設けられ、前記圧力計はそれぞれの前記裏込め材供給路に設置されている、
【発明の効果】
【００１８】
本発明では、裏込め材供給路内にシール室内のシール剤の圧力を計測するための圧力計を設置し、さらに圧力計の計測信号を電送するケーブルを裏込め材供給路内に敷設している。これにより、細径の貫通孔をスキンプレートの軸方向に形成してその中に圧力計のケーブルを設置するという困難な作業が不要になり、シール室内のシール剤の圧力を正確且つ容易に計測することが可能になる。
【図面の簡単な説明】
【００１９】
【図１】本実施の形態のシールド掘削機の内部を側面から透かして見た構成図である。
【図２】図１のシールド掘削機を後方側から見た構成図である。
【図３】図２のＡ線に沿った後部の断面図である。
【図４】図２のＢ線に沿った後部の断面図である。
【図５】図３のＣ線に沿った断面図である。
【図６】図３のＤ線に沿った断面図である。
【図７】図３のＥ線に沿った断面図である。
【図８】第１のシール室に供給されるシール剤の第１の供給路を示す説明図である。
【図９】第２のシール室に供給されるシール剤の第２の供給路を示す説明図である。
【図１０】裏込め材供給路を幅方向で一部切り取った断面図である。
【発明を実施するための形態】
【００２０】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２１】
まず、本実施の形態のシールド掘削機の構成について図１〜図４を参照して説明する。ここで、図１は本実施の形態のシールド掘削機の内部を側面から透かして見た構成図、図２は図１のシールド掘削機を後方側から見た構成図、図３は図２のＡ線に沿った後部の断面図、図４は図２のＢ線に沿った後部の断面図である。
【００２２】
本実施の形態のシールド掘削機１は、カッタ盤（掘削手段）２を切羽に押し当て回転させることにより地山を掘削する際に、カッタ盤２の後方のスキンプレート３内に設けられた泥水室４に送泥管５を通じて泥水を圧送し、泥水室４内の泥水圧力を切羽の土圧および地下水圧に見合う圧力にして切羽の安定を図るとともに、泥水室４内に溜められた泥水を排泥管６によってトンネルの外部に排出しながら地山にトンネルを形成する泥水式シールド掘削機である。
【００２３】
シールド掘削機１を構成するカッタ盤２は、地山の切羽を掘削する正面円形状の掘削部材であり、スキンプレート３の前面にスキンプレート３の周方向に沿って正逆方向に回転自在の状態で設置されている。このカッタ盤２は、例えば、スポークタイプが採用されており、その前面（切羽に対向する面）には、玉石等の破砕や地山の掘削を行う複数のビット２ａおよびスクレーパツース２ｂが装着されている他、カッタ盤２の回転により掘削された土砂等を泥水室４内に取り込む貫通穴（図示せず）が形成されている。なお、カッタ盤２の外周面には、急曲線施工時の余掘りやシールド掘削機１の姿勢制御等を行うコピービット２ｃが装着されている。
【００２４】
カッタ盤２の後方に位置するスキンプレート３は、例えば円筒状の鋼製板により形成された前胴プレート３ａおよび後胴プレート３ｂで構成されている。前胴プレート３ａと後胴プレート３ｂとは、後胴プレート３ｂの先端側の球面軸受部が前胴プレート３ａの後端側の内周面に接した状態で入り込むことで係合されている。
【００２５】
前胴プレート３ａの前面側において、その前面からスキンプレート３の内方に後退した位置には、スキンプレート３内を切羽側と機内側とに分ける隔壁７が設置されている。このスキンプレート３の切羽側、すなわち、上記カッタ盤２と隔壁７との間に、上記泥水室４が設けられている。泥水室４は、カッタ盤２の回転により掘削された土砂等を取り込み、送泥管５を通じて供給された泥水と混合する空間（チャンバ）である。
【００２６】
一方、スキンプレート３の機内には、カッタ駆動体１０と、複数本の中折れジャッキ１１ａと、複数本のシールドジャッキ１１ｂと、エレクタ１２と、送泥管５と、排泥管６とが設置されている。
【００２７】
カッタ駆動体１０は、カッタ盤２を正逆方向に回転させる駆動源である。中折れジャッキ１１ａは、前胴プレート３ａと後胴プレート３ｂとを連結するとともに、シールド掘削機１の推進方向を修正する機器である。シールドジャッキ１１ｂは、スキンプレート３の後方のトンネルの内周に敷設されたセグメントＳＧに反力をとり、セグメントＳＧを後方に向けて押し出してスキンプレート３を含めたシールド掘削機１を前進させるための推進力を発生させる機器である。エレクタ１２は、スキンプレート３内部の後端付近において複数のピースを把持して環状に組み立てることで、掘削されたトンネルの内周にセグメントＳＧを構築する装置である。セグメントＳＧは、例えば、平板状のコンクリート製セグメントまたは合成セグメント（コンクリートと鋼材との合成構造）からなり、トンネルの周方向および軸方向に沿って複数個並べられた状態で設置されている。
【００２８】
送泥管５は、泥水室４内に泥水を供給する配管であり、例えば、鋼材により形成されている。送泥管５の先端部（放泥口）は、隔壁７の正面内上部を貫通して泥水室４に達している。これにより、送泥管５を通じて圧送された泥水は、シールド掘削機１の正面内上部から泥水室４内に供給される。一方、送泥管５の後端部は、トンネルの抗口に向かって延び、途中で所定の間隔毎に配置された複数の送泥ポンプ（図示せず）を介してトンネルの外部の泥水層（図示せず）に接続されている。なお、泥水槽は、トンネルの外部の泥水処理装置（図示せず）に接続されている。
【００２９】
排泥管６は、泥水室４内の排泥水（掘削土砂と泥水との混合泥水）をトンネルの外部に排出する配管であり、例えば、鋼材により形成されている。排泥管６の先端部（吸泥口）は、隔壁７の正面内下部を貫通して泥水室４に達している。これにより、泥水室４内の排泥水は、シールド掘削機１の正面内下部から排出される。一方、排泥管６の後端部は、トンネルの抗口に向かって延び、途中で所定の間隔毎に配置された複数の排泥ポンプ(図１には図示せず）を介してトンネルの外部の上記泥水処理装置に接続されている。すなわち、泥水室４内の排泥水は、排泥管６を通じてトンネルの外部の泥水処理装置に送られ、そこで土砂と泥水とに分離され比重や粘性等が調整された後、泥水槽に送られて再び送泥管５を通じて泥水室４へ送られる。
【００３０】
図１において、スキンプレート３を構成する後胴プレート３ｂの進行方向後部の内周面には、テールブラシ３ｃ（シール室形成部材）が設けられている。テールブラシ３ｃは、例えば鋼製のワイヤや発泡ウレタンなどで構成されており、当該進行方向に対して間隔を開けて環状に３本（テールブラシ３ｃａ，３ｃｂ，３ｃｃ）設けられている。テールブラシ３ｃは、セグメントＳＧの外周面と接触するような長さで内方に延びており、このようなテールブラシ３ｃにより、スキンプレート３の内周面とセグメントＳＧの外周面との間にシール室１３が形成されている。
【００３１】
また、本実施の形態においては、前方に位置するテールブラシ３ｃａと中央に位置するテールブラシ３ｃｂとで第１のシール室１３−１が形成されている。また、中央に位置するテールブラシ３ｃｂと後方に位置するテールブラシ３ｃｃとで、第１のシール室１３−１に対してスキンプレート３の進行方向後方に位置する第２のシール室１３−２が形成されている。但し、シール室１３は少なくとも１つ形成されていればよく、本実施の形態のように２つのシール室１３に限定されるものではない。
【００３２】
さて、図２に示すように、本実施の形態のシールド掘削機１では、図示しないポンプ（シール剤供給手段）から圧送されたグリスなどのシール剤をシール室１３に供給するためのシール剤供給路１４が、スキンプレート３の軸方向に沿って複数設けられている。そして、シール剤供給路１４からシール室１３にシール剤が充填されることによりセグメントＳＧの外周面とスキンプレート３の内周面との隙間がシールされ、前述したテールブラシ３ｃと相俟って、掘進作業中にスキンプレート３の後部からスキンプレート３内に地下水等が入り込むことが防止される。
【００３３】
さらに、スキンプレート３の外壁には、セメント系の硬化材または固化材等からなる裏込め材をスキンプレート３の後方の掘削坑とセグメントＳＧとの隙間に供給するための裏込め材供給路１５が、スキンプレート３の軸方向に沿って設けられている。なお、当該隙間に裏込め材を充填することにより、地盤沈下が防止され、さらに、セグメントＳＧと地山とが一体構造となってセグメントＳＧの継手からの漏水が防止される。
【００３４】
図２において、シール剤供給路１４は、前方の第１のシール室１３−１にシール剤を供給する第１の供給路１４−１と、後方の第２のシール室１３−２にシール剤を供給する第２の供給路１４−２とからなり、これらがスキンプレート３の周方向の複数箇所に設けられている。また、裏込め材供給路１５は、スキンプレート３の軸方向の頂部を挟んだ２箇所に設けられている。
【００３５】
このようにシール剤供給路１４はスキンプレート３の周方向の複数箇所に設けられているのに対して、裏込め材供給路１５はスキンプレート３の頂部付近にしか設けられていない。これは、シール剤は粘性が高くセグメントＳＧの外周に付着するためにスキンプレート３の周方向に満遍なく供給しなければならないのに対して、裏込め材は粘性が低いためにスキンプレート３の頂部付近に供給すれば自重でセグメントＳＧの外周下部にまで回り込むからである。
【００３６】
なお、シール剤供給路１４および裏込め材供給路１５の形成箇所や形成数は図２に示すものに限定されない。例えば、シール剤供給路１４はさらに数多く設けてもよく、裏込め材供給路１５はスキンプレート３の軸方向の頂部の１箇所だけに設けてもよい。
【００３７】
図３および図４に示すように、本実施の形態では、前方のテールブラシ３ｃａおよび中央のテールブラシ３ｃｂが鋼製のワイヤブラシシール、後方のテールブラシ３ｃｃが発泡ウレタンでワイヤブラシを包み込んだウレコンシールとなっている。但し、シール室形成部材は本実施の形態のようなテールブラシ３ｃに限定されるものではなく、例えばゴム板や鉄板、あるいはこれらを組み合わせたものなどでもよい。
【００３８】
図２に示すように、裏込め材供給路１５内には、複数箇所に設けられた内の一部のシール剤供給路１４が配置されている。また、この裏込め材供給路１５内には、圧力計１６が設置されている。図４に詳しく示すように、圧力計１６は後方の第２のシール室１３−２に面して設置されており、当該第２のシール室１３−２内に供給されるシール剤の圧力を計測するようになっている。そして、圧力計１６の計測信号を電送するケーブル１６ａもまた、裏込め材供給路１５内に敷設されている。圧力計１６の計測値は当該ケーブル１６ａを通してシールド掘削機１の制御部に送られる。なお、本実施の形態では、裏込め材供給路１５は２箇所に設けられていることから、圧力計１６は各裏込め材供給路１５内にそれぞれ設置されている。
【００３９】
なお、前述のように、裏込め材供給路１５はスキンプレート３の１箇所だけに設けてもよいが、複数箇所（本実施の形態では２箇所）に設けてそれぞれに圧力計１６を設置することにより、第２のシール室１３−２内のシール剤の圧力をより正確に計測することができる。
【００４０】
ここで、スキンプレート３に設けられたシール剤供給路１４の経路について、図５〜図８を用いて説明する。図５は図３のＣ線に沿った断面図、図６は図３のＤ線に沿った断面図、図７は図３のＥ線に沿った断面図、図８は第１のシール室に供給されるシール剤の第１の供給路を示す説明図、図９は第２のシール室に供給されるシール剤の第２の供給路を示す説明図、図１０は裏込め材供給路を幅方向で一部切り取った断面図である。
【００４１】
裏込め材供給路１５が設けられていない箇所に形成されたシール剤供給路１４の経路は、図５に示すように、シール剤の供給方向でテールブラシ３ｃａに至る前までは、第１の供給路１４−１および第２の供給路１４−２の何れもスキンプレート３である後胴プレート３ｂの厚み内に形成されている。
【００４２】
そして、シール剤供給路１４の内で第１のシール室１３−１にシール剤を供給するための第１の供給路１４−１は、図６および図８に示すように、後胴プレート３ｂの厚み内からテールブラシ３ｃａの結束部内を貫通しており、第１のシール室１３−１に開口している。また、シール剤供給路１４の内で第２のシール室１３−２にシール剤を供給するための第２の供給路１４−２は、後胴プレート３ｂの厚み内からテールブラシ３ｃａの結束部内を貫通し、図７および図９に示すように、さらに後胴プレート３ｂの内壁を通ってテールブラシ３ｃｂの結束部内を貫通して第２のシール室１３−２に開口している。
【００４３】
一方、裏込め材供給路１５が設けられた箇所に形成されたシール剤供給路１４の経路は、図１０に示すように、シール剤の供給方向でテールブラシ３ｃａに至る前までは、第１の供給路１４−１および第２の供給路１４−２の何れも裏込め材供給路１５内に形成されている。なお、テールブラシ３ｃａに至ってからの経路は、図６〜図９に示す経路と同様になっている。
【００４４】
既に述べたように、圧力計１６は、第２のシール室１３−２内のシール剤の圧力を計測するため、第２のシール室１３−２に面して裏込め材供給路１５内に設置されているので、当該圧力計１６が設置されている箇所の裏込め材供給路１５内にはシール剤供給路１４は存在しない。但し、圧力計１６から延びるケーブル１６ａは裏込め材供給路１５内に敷設されているので、シール剤の供給方向でテールブラシ３ｃａに至る前までの裏込め材供給路１５内には、ケーブル１６ａとシール剤供給路１４とが存在することになる。
【００４５】
そして、本実施の形態よれば、前述のように、裏込め材を掘削坑とセグメントＳＧとの隙間に供給するための裏込め材供給路１５内に、第２のシール室１３−２内のシール剤の圧力を計測するための圧力計１６を設置し、さらに、当該圧力計１６の計測信号を電送するケーブル１６ａを裏込め材供給路１５内に敷設している。
【００４６】
したがって、細径の貫通孔をスキンプレート３の軸方向に形成してその中に圧力計１６のケーブル１６ａを設置するという困難な作業が不要になり、第２のシール室１３−２内のシール剤の圧力を正確且つ容易に計測することが可能になる。
【００４７】
これにより、シール剤をシール室１３に圧送するシール剤供給手段としてのポンプにおけるシール剤の供給圧と、圧力計１６に計測される第２のシール室１３−２内のシール剤の圧力とを併用してシール剤の注入量を監視することができる。よって、シールド掘削機１の掘進速度に応じて適切な量のシール剤を供給することが可能になるとともに、シール剤の供給圧と供給量の２つの側面からの監視が可能となり、スキンプレート３内に地下水等が入り込むことを確実に防止することができる。
【００４８】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００４９】
例えば、本実施の形態において、圧力計１６は、２つのシール室１３の内の後方に位置する第２のシール室１３−２内のシール剤の圧力を計測するようになっている。複数のシール室が形成されている場合、何れのシール室内のシール剤の圧力を計測してもよいし全てのシール室内のシール剤の圧力を計測してもよい。但し、最初に地下水等が浸入するのが最後部に位置するシール室（本実施の形態では、後方の第２のシール室１３−２）なので、本実施の形態のように、当該シール室内のシール剤の圧力を計測するのが望ましい。
【００５０】
また、本実施の形態では、一部のシール剤供給路１４が裏込め材供給路１５内に配置されているが、裏込め材供給路１５内にはシール剤供給路１４を配置しなくてもよい。但し、裏込め材供給路１５内に配置するようにすれば、シール剤供給路１４を後胴プレート３ｂの厚み内に形成する箇所（図５参照）が少なくなり、その分だけシール剤供給路１４の形成が容易になる。
【産業上の利用可能性】
【００５１】
以上の説明では、本発明を泥水圧式のシールド掘削機に適用した場合について説明したが、これに限定されるものではなく、泥土圧式のシールド掘削機等、他のシールド掘削機にも適用することができる。また、カッタ盤は面板型に限定されるものではなく、スポーク型にも適用することができる。
【符号の説明】
【００５２】
１  シールド掘削機
２  カッタ盤（掘削手段）
３  スキンプレート
３ａ  前胴プレート
３ｂ  後胴プレート
３ｃ，３ｃａ，３ｃｂ，３ｃｃ  テールブラシ（シール室形成部材）
１３  シール室
１３−１  第１のシール室
１３−２  第２のシール室
１４  シール剤供給路
１４−１  第１の供給路
１４−２  第２の供給路
１５  裏込め材供給路
１６  圧力計
１６ａ  ケーブル
ＳＧ  セグメント
【図１】
2020012331.tif 000003
【図２】
2020012331.tif 000004
【図３】
2020012331.tif 000005
【図４】
2020012331.tif 000006
【図５】
2020012331.tif 000007
【図６】
2020012331.tif 000008
【図７】
2020012331.tif 000009
【図８】
2020012331.tif 000010
【図９】
2020012331.tif 000011
【図１０】
2020012331.tif 000012